(57)【要約】【課題】輸液ポンプ等の医療機器の動作設定を行い易い医療機器用表示装置等を提供すること。【解決手段】医療機器の設定情報を表示し、設定情報は、同一画面上に表示される複数の設定種類画面から特定の設定種類画面を選択し、選択済み設定画面へ遷移させる選択画面遷移部２１と、選択済み設定画面で選択された設定画面を変更可能設定画面へ遷移させる変更画面遷移部２３と、を有し、設定種類画面、選択済み設定画面及び変更可能設定画面における、少なくとも背景色が相違する構成となっている医療機器用表示装置２０。【選択図】図５
2013154036.tif 000002
【特許請求の範囲】
【請求項１】
医療機器の設定情報を表示する医療機器用表示装置であって、
同一画面上に表示される複数の設定種類画面から特定の設定種類画面を選択し、選択済み設定画面へ遷移させる選択画面遷移部と、
前記選択済み設定画面で選択された設定画面を変更可能設定画面へ遷移させる変更画面遷移部と、を有し、
前記設定種類画面、前記選択済み設定画面及び前記変更可能設定画面における、少なくとも背景色が相違する構成となっていることを特徴とする医療機器用表示装置。
【請求項２】
前記変更可能設定画面で、変更対象の情報が複数の変更対象部分を有するときは、当該変更対象部分に標識が付されることを特徴とする請求項１に記載の医療機器用表示装置。
【請求項３】
設定種類画面の背景色より前記選択済み設定画面の背景色が濃くなるように設定され、また、前記選択済み設定画面の背景色より前記変更可能設定画面の背景色が濃くなるように設定されていることを特徴する請求項１又は請求項２に記載の医療機器用表示装置。
【請求項４】
前記設定種類画面が、少なくとも、流量表示、予定量・予定時間及び積算量表示を含むことを特徴とする請求項１乃至請求項３のいずれか１項に記載の医療機器用表示装置。
【請求項５】
医療機器の設定情報を表示する医療機器用表示装置の表示方法であって、
同一画面上に表示される複数の設定種類画面から特定の設定種類画面を選択し、選択済み設定画面へ遷移させ、
前記選択済み設定画面で選択された設定画面を変更可能設定画面へ遷移させ、
前記設定種類画面、前記選択済み設定画面及び前記変更可能設定画面における、少なくとも背景色が相違することを特徴とする医療機器用表示装置の表示方法。
【発明の詳細な説明】
【技術分野】
【０００１】
本発明は、例えば、病院等で使用する輸液ポンプ等の医療機器用表示装置及び医療機器用表示装置の表示方法に関するものである。
【背景技術】
【０００２】
従来より、病院等で薬液を患者等に投与する場合で、その投与量等を精度良く制御する必要があるときは、輸液ポンプ等を用いている（例えば、特許文献１）。
このような輸液ポンプ等を用いて投与量を制御する薬液は、患者の状態等に応じて、頻繁にその投与量を変更等する場合がある。また、病院等で、医療従事者は、同時に複数の患者の輸液ポンプ等の薬液の投与量等の設定を行う場合がある。
このような場合に、操作者は、輸液ポンプ等の変更すべき項目（流量表示等）を表示装置で選択する段階を経て、その後、変更すべき数値等を変更するという操作を強いられることになる。
【先行技術文献】
【特許文献】
【０００３】
【特許文献１】特開２０１１−８７６７８号公報
【発明の概要】
【発明が解決しようとする課題】
【０００４】
しかし、上述のように、頻繁に輸液ポンプ等の投与量を変更する場合や、複数の輸液ポンプ等を同時に設定する場合、しばしば、輸液ポンプ等の表示装置が、上述のどの段階であるが迷うことがあり、その場合、円滑が輸液ポンプ等の動作設定を行うことができないという問題があった。
【０００５】
そこで、本発明は、このような輸液ポンプ等の医療機器の動作設定を行い易い医療機器用表示装置及び医療機器用表示装置の表示方法を提供することを目的とする。
【課題を解決するための手段】
【０００６】
上記目的は、本発明にあっては、医療機器の設定情報を表示する医療機器用表示装置であって、同一画面上に表示される複数の設定種類画面から特定の設定種類画面を選択し、選択済み設定画面へ遷移させる選択画面遷移部と、前記選択済み設定画面で選択された設定画面を変更可能設定画面へ遷移させる変更画面遷移部と、を有し、前記設定種類画面、前記選択済み設定画面及び前記変更可能設定画面における、少なくとも背景色が相違する構成となっていることを特徴とする医療機器用表示装置により達成される。
【０００７】
前記構成によれば、設定種類画面、選択済み設定画面及び変更可能設定画面における、少なくとも背景色が相違する構成となっているので、操作者は、医療機器用表示装置を視認するだけで、現在の画面が、設定種類画面、選択済み設定画面又は変更可能設定画面のいずれかであるかを容易に判断することができる。
【０００８】
好ましくは、前記変更可能設定画面で、変更対象の情報が複数の変更対象部分を有するときは、当該変更対象部分に標識が付されることを特徴とする。
【０００９】
前記構成によれば、変更画面で、変更対象の情報が、複数の変更対象部分を有するときは、当該変更対象部分に標識が付されるので、操作者は、現在の画面の変更部分を確実に把握することができる。
【００１０】
好ましくは、設定種類画面の背景色より前記選択済み設定画面の背景色が濃くなるように設定され、また、前記選択済み設定画面の背景色より前記変更可能設定画面の背景色が濃くなるように設定されていることを特徴とする。
【００１１】
前記構成によれば、設定の動作が具体的に進むにつれて、その背景色が濃くなるので、医療従事者等の操作者を操作に集中し易くさせることができ、誤設定等を防止することができる。
【００１２】
好ましくは、前記設定種類画面が、少なくとも、流量表示、予定量・予定時間及び積算量表示を含むことを特徴とする。
【００１３】
前記構成によれば、患者等にとって極めて重要な設定種類情報である流量表示、予定量・予定時間及び積算量表示に関し、少なくとも背景色が相違する構成となるので重要な情報の変更等の誤設定等を回避し易い構成となる。
【００１４】
上記目的は、本発明にあっては、医療機器の設定情報を表示する医療機器用表示装置の表示方法であって、同一画面上に表示される複数の設定種類画面から特定の設定種類画面を選択し、選択済み設定画面へ遷移させ、前記選択済み設定画面で選択された設定画面を変更可能設定画面へ遷移させ、前記設定種類画面、前記選択済み設定画面及び前記変更可能設定画面における、少なくとも背景色が相違することを特徴とする医療機器用表示装置の表示方法により達成される。
【発明の効果】
【００１５】
以上説明したように、本発明によれば、そこで、本発明は、このような輸液ポンプ等の医療機器の動作設定を行い易い医療機器用表示装置及び医療機器用表示装置の表示方法を提供することができる。
【図面の簡単な説明】
【００１６】
【図１】医療機器である例えば、輸液ポンプの外観を示す概略図である。
【図２】図１に示す輸液ポンプの主な構成を示す概略ブロック図である。
【図３】本実施の実施形態に係る輸液ポンプの動作例を示す概略フローチャートである。
【図４】本実施の他の実施形態に係る輸液ポンプの他の動作例を示す概略フローチャートである。
【図５】本実施の他の実施形態に係る輸液ポンプの他の動作例を示す概略フローチャートである。
【図６】「輸液ポンプディスプレイ」の背景表示が「薄い水色」または「水色」に変わった状態を示す概略説明図である。
【図７】「輸液ポンプディスプレイ」の背景表示が「濃い水色」に変わった状態を示す概略説明図である。
【図８】「輸液ポンプディスプレイ」が「変更可能画面」に遷移し、変更可能部分に下線が付された状態を示す概略説明図である。
【発明を実施するための形態】
【００１７】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１８】
図１は、医療機器である例えば、輸液ポンプ１０の外観を示す概略図である。輸液ポンプ１０は、その内部に薬液を送液するチューブ等を配置することができる構成となっており、そのチューブに対し、しごく等の動作をすることで、チューブ内で送液される薬液の流量等を制御する構成となっている。
また、図１に示すように、輸液ポンプ１０は医療機器用表示装置である例えば、輸液ポンプディスプレイ２０を有し、薬液の流量等の各種の情報を表示することができる構成ともなっている。
【００１９】
このカラー液晶等の輸液ポンプディスプレイ２０に表示される情報である設定情報は、例えば、薬液を患者に投与する薬液量を制御する「流量表示情報」、患者に投与する薬液の予定量や予定時間を制御する「予定量・予定時間表示情報」、そして、患者に投与する薬液量の積算量を制御する「積算量表示情報」等である。これらの情報は、薬液を患者に投与する際に、極めて重要な情報であり、間違いが許されない情報でもある。
ところで、これらの各設定情報の表示画面が、設定種類画面の一例となる。
【００２０】
また、図１に示すように、輸液ポンプ１０には、矢印Ｒ１方向に沿って、正逆双方向に回転（回動）するジョグダイヤルからなる表示変更ダイヤル１１が備わっている。
すなわち、この表示変更ダイヤル１１を回転することで、例えば、輸液ポンプディスプレイ２０に、「流量表示情報」「予定量・予定時間表示情報」「積算量表示情報」のいずれかを任意に表示し、選択し、選択済み画面（「選択済み設定画面」の一例）に遷移させることができる構成となっている。
【００２１】
また、輸液ポンプ１０は、図１に示すように、ＯＫボタン１２を有し、上述の表示変更ダイヤル１１によって選択された「流量表示情報」「予定量・予定時間表示情報」「積算量表示情報」等のいずれかの選択済み画面で、このＯＫボタン１２を押下させると、当該選択済み表示画面についてのデータ等を変更する変更可能設定画面である例えば、変更可能画面に遷移可能な構成となっている。
なお、この変更可能画面では、表示変更ダイヤル１１を回動させることで、変更対象部分である例えば、数字等を変更することが可能な構成ともなっている。
なお、これらの構成については、後で詳細に説明する。
【００２２】
また、図１に示すように、輸液ポンプ１０には、その他の入力装置１３等も備わっており、その他の情報の入力等を行うことができる構成となっている。
また、図１に示す輸液ポンプ１０は、コンピュータを有し、コンピュータは、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バスを介して接続されている。
【００２３】
図２は、図１に示す輸液ポンプ１０の主な構成を示す概略ブロック図である。
図２に示すように、輸液ポンプ１０は、輸液ポンプ１０全体の動作の制御・判断を司る輸液ポンプ制御部１４を有している。この輸液ポンプ制御部１４は、輸液ポンプ１０の基本的な動作等を担う「輸液ポンプ本体部１５」を制御する他、上述の「輸液ポンプディスプレイ２０」「表示変更ダイヤル１１」「ＯＫキー１２」、「その他の入力装置１３」及び「計時装置１７」を制御する。
また、輸液ポンプ制御部１４は、図２に示す輸液ポンプ１０に関する各種データを記憶する「輸液ポンプ各種情報記憶部１６」や、図２に示す各種処理部（プログラム）も制御する構成となっているが、これらの具体的な内容は後述する。
【００２４】
＜実施例１＞
図３は、本実施の形態に係る輸液ポンプ１０の動作例を示す概略フローチャートである。以下、図３の概略フローチャートに従い、その動作等を説明しつつ同時に図１及び図２の構成等についても説明する。
【００２５】
先ず、輸液ポンプ１０が送液中若しくは送液が停止中の状態で、当該輸液ポンプ１０の例えば、薬液の「流量」の変更を希望する医師等の医療従事者は、図１の表示変更ダイヤル１１やＯＫキー１２等を操作して、図１の「輸液ポンプディスプレイ２０」に「流量表示」の画面を表示するように画面を選択する（選択済み画面）。
この動作は、図３のＳＴ１に該当し、「流量表示」、「予定量・予定時間表示」、「積算量表示」のいずれかの表示を選択したか否かに該当する。
この画面の選択は、具体的には、図２の「表示種類判断処理部（プログラム）２１」が実行する。したがって、「表示種類判断処理部（プログラム）２１」が、選択画面遷移部の一例となっている。
【００２６】
ステップＳＴ（以下「ＳＴ」とする。）１で、選択が完了した場合、例えば、上述の例で「輸液ポンプディスプレイ２０」に「流量表示」の画面を表示するように画面を選択したときは、ＳＴ４へ進む。
【００２７】
ＳＴ２では、「輸液ポンプディスプレイ２０」が「変更可能画面」へ遷移したことを示すため、例えば、その背景色を「薄い水色」から「濃い水色」へ変更させる。
具体的には、図２の「輸液ポンプディスプレイ濃い水色表示処理部（プログラム）２４」が実行する。
図７は、「輸液ポンプディスプレイ２０」の背景表示が「濃い水色」に変わった状態を示す概略説明図である。図７で、左上から右下へ斜めのハッチングは濃い水色の部分を示す。
このように「輸液ポンプディスプレイ２０」の画面の背景を「濃い水色」にすることで、当該輸液ポンプ１０の医療従事者である操作者は、当該「輸液ポンプディスプレイ２０」を視認することで、現在が「変更可能画面」の状態であることを直ちに且つ容易に把握することができる。
【００２８】
次いで、ＳＴ３へ進む。ＳＴ５では、「輸液ポンプディスプレイ２０」に表示された、図７に示すような「変更可能画面」が複数の変更可能部分を有している場合、例えば、図７の数値「３００．００」のように、数字が５個ある場合は、その最初の数字、例えば、１００の位の「３」の部分に標識である例えば、下線を付し、当該数字「３」が変更可能であることを示す。
【００２９】
次いで、ＳＴ４では、当該変更部分、上述の例では、数字「３」の変更が終了したか否かが判断される。具体的には、図２の「ＯＫキー１２」の押下があったか否かが判断される。
このＳＴ４の判断は、図２の「変更可能部分表示及び変更可能部分確定判断処理部（プログラム）２５」が行う。
【００３０】
ＳＴ４で、当該変更可能部分の変更が終了したと判断されたときは、ＳＴ５へ進む。ＳＴ５では、「輸液ポンプディスプレイ２０」の背景色が「濃い水色」から通常の状態の背景色である「薄い水色」に戻る。
したがって、操作者が、当該輸液ポンプ１０の設定の変更等が終了し、輸液ポンプディスプレイ２０が、非選択状態になったことを明確に把握することができる。
具体的には、図２の「輸液ポンプディスプレイ薄い水色表示処理部（プログラム）２７」が動作する。
【００３１】
以上説明した例では、輸液ポンプディスプレイ２０の背景色を、選択及び変更状態の背景色である「濃い水色」と、非選択状態の背景色である「水色」として、同一色による濃淡により２色にしている。
なお、異なる２色で輸液ポンプディスプレイ２０の背景色の表示を変えるようにしてもよい。
【００３２】
＜実施例２＞
輸液ポンプディスプレイ２０の背景色として、非選択状態の背景色を「薄い水色」、選択状態の背景色を「水色」、変更状態の背景色を「濃い水色」として、同一色による濃淡により３色にする例を説明するが、異なる３色で輸液ポンプディスプレイ２０の背景色の表示を変えるようにしてもよい。その実施例について、図４，図５のフローチャートに従い説明する。
ステップＳＴ（以下「ＳＴ」とする。）１１で、選択が完了した場合、例えば、上述の例で「輸液ポンプディスプレイ２０」に「流量表示」の画面を表示するように画面を選択したときは、ＳＴ１２へ進む。
【００３３】
ＳＴ１２では、当該選択済み画面が選択済み状態であることを示すため、例えば、その背景色を通常の「薄い水色」から「水色」へ変更する。
具体的には、図２の「輸液ポンプディスプレイ水色表示処理部（プログラム）２２」が実行する。
【００３４】
図６は、「輸液ポンプディスプレイ２０」の背景表示が「水色」に変わった状態を示す概略説明図である。図６で、右上から左下へ斜めのハッチングは水色の部分を示す。
このように「輸液ポンプディスプレイ２０」の画面の背景を「水色」にすることで、当該輸液ポンプ１０の医療従事者である操作者は、当該「輸液ポンプディスプレイ２０」を視認することで、現在の画面が「選択済み画面」の状態であることを直ちに且つ容易に把握することができる。
【００３５】
次いで、ＳＴ１３へ進む。ＳＴ１３では、ＳＴ１３では、ＳＴ１１及びＳＴ１２で「流量表示」の画面に選択された状態で、図６に示す流量の数値等を変更可能な状態に遷移させる信号が操作者等から入力されたか否かを判断する。
具体的には、図１の「ＯＫボタン１２」を操作者が押下したか否かが判断され、「ＯＫボタン１２」を押下したと判断したときは、当該画面を変更可能画面へと遷移させる。
具体的には、「変更可能画面変更判断処理部（プログラム）２３」が判断し、この「変更可能画面変更判断処理部（プログラム）２３」は、変更画面遷移部の一例となっている。
【００３６】
次いで、ＳＴ１４へ進む。ＳＴ１４では、「輸液ポンプディスプレイ２０」が「変更可能画面」へ遷移したことを示すため、例えば、その背景色を「水色」から「濃い水色」へ変更させる。
具体的には、図２の「輸液ポンプディスプレイ濃い水色表示処理部（プログラム）２４」が実行する。
【００３７】
図７は、「輸液ポンプディスプレイ２０」の背景表示が「濃い水色」に変わった状態を示す概略説明図である。図７で、左上から右下へ斜めのハッチングは濃い水色の部分を示す。
このように「輸液ポンプディスプレイ２０」の画面の背景を「濃い水色」にすることで、当該輸液ポンプ１０の医療従事者である操作者は、当該「輸液ポンプディスプレイ２０」を視認することで、現在が「変更可能画面」の状態であることを直ちに且つ容易に把握することができる。
【００３８】
次いで、ＳＴ１５へ進む。ＳＴ１５では、「輸液ポンプディスプレイ２０」に表示された、図７に示すような「変更可能画面」が複数の変更可能部分を有している場合、例えば、図７の数値「３００．００」のように、数字が５個ある場合は、その最初の数字、例えば、「３」の部分に標識である例えば、下線を付し、当該数字「３」が変更可能であることを示す。
【００３９】
図８は「輸液ポンプディスプレイ２０」が「変更可能画面」に遷移し、変更可能部分に下線が付された状態を示す概略説明図である。
図８に示すように、「輸液ポンプディスプレイ２０」に表示された数値「３００．００」のうち、最初の変更可能部分である数字「３」に下線を付し、当該部分が変更可能であることを示している。
【００４０】
したがって、操作者は、「輸液ポンプディスプレイ２０」を視認するだけで、現在変更に係る数字を明確に特定することができ操作し易い輸液ポンプ１０となっている。
【００４１】
また、この状態で、操作者が図１の表示変更ダイヤル１１を操作することで、下線を付された部分の数字「３」を変更することができる構成となっている。また、その変更は、図１のＯＫキー１２を押下することで確定することになる。
【００４２】
次いで、ＳＴ１６へ進む。ＳＴ１６では、輸液ポンプ１０は、図２の「計時装置１７」を参照し、数字「３」が変更可能となってから所定時間が経過したか否かを判断し、所定時間を経過していないと判断された場合は、ＳＴ１７へ進む。
【００４３】
ＳＴ１７では、当該変更部分、上述の例では、数字「３」の変更が終了したか否かが判断される。具体的には、図２の「ＯＫキー１２」の押下があったか否かが判断される。
このＳＴ１６及びＳＴ１７の判断は、図２の「変更可能部分表示及び変更可能部分確定判断処理部（プログラム）２５」が行う。
【００４４】
ＳＴ１７で、当該変更可能部分の変更が終了したと判断されたときは、ＳＴ１８へ進む。ＳＴ１８では、「輸液ポンプディスプレイ２０」に表示されている変更可能部分、上述の例では「３００．００」の全ての数字の変更か終了したか否かを輸液ポンプ１０が判断する。
具体的には、図２の「全変更可能部分確定判断処理部（プログラム）２６」が判断する。
【００４５】
ＳＴ１８で、全ての変更可能部分の変更が終了していないと判断された場合は、ＳＴ１９へ進み、次の変更部分、上述の例では、図８の数字「３」の右隣の数字の「０」に下線が付され、当該数字が変更可能となる。
この動作も、図２の「変更可能部分表示及び変更可能部分確定判断処理部（プログラム）２５」が行う。
【００４６】
次いで、ＳＴ２０及びＳＴ２１では、上述のＳＴ１６及びＳＴ１７と同様の工程を経る。このように本実施の形態では、全ての変更可能部分、例えば、数値「３００．００」の各数字について変更が終了（「ＯＫキー１２」の押下）、又は所定時間の経過があった場合に、全ての変更可能部分の変更等が終了したものと判断し、「変更可能画面」を終了させる。
このように、本実施の形態では、通常の各設定情報の表示画面の背景色は「薄い水色」とし、その後、画面が選択され、選択済み画面となると、背景色が「薄い水色」から「水色」へ変更される（ＳＴ１２）。さらに、変更可能画面へ変更されると「水色」が「濃い水色」となる（ＳＴ１４）。
したがって、本実施の形態では、設定画面の編集が具体的になればなるほど、その背景色が濃くなるので、医療従事者等の操作者は、その操作により集中することができ、操作ミスを未然に防ぐことができる。
【００４７】
ＳＴ１８で、全ての変更可能部分の変更が終了したと判断され、「変更可能画面」が終了すると、ＳＴ２２へ進む。
ＳＴ２２では、「輸液ポンプディスプレイ２０」の背景色が「濃い水色」から通常の状態の背景色である「薄い水色」に戻る。
したがって、操作者が、当該輸液ポンプ１０の設定の変更等が終了したことを明確に把握することができる。
具体的には、図２の「輸液ポンプディスプレイ薄い水色表示処理部（プログラム）２７」が動作する。
【００４８】
このように、本実施の形態では、「液量表示」「予定量・予定時間表示」「積算量表示」などの極めて設定が重要で、間違いが大きな問題となるような設定情報については、その設定の変更に際し、その設定変更の編集工程の相違によって、換言すれば、通常の各設定情報の表示画面、選択済み画面、変更可能画面によって、徐々に背景色を濃くし、その注意を喚起する構成となっている。このため、医療従事者等の操作者が誤操作をし難い輸液ポンプ１０となっている。
【００４９】
ところで、本発明は、上述の実施の形態に限定されない。本実施の形態では、医療機器として輸液ポンプ１０を例に説明したが、本発明は、これに限らず、シリンジポンプ等の他の送液装置，人工心肺装置，血管内超音波診断装置等の医療機器でも好適に適用することができる。
【符号の説明】
【００５０】
１０・・・輸液ポンプ、１１・・・表示変更ダイヤル、１２・・・ＯＫボタン、１３・・・その他の入力装置、１４・・・輸液ポンプ制御部、１５・・・輸液ポンプ本体部、１６・・・輸液ポンプ各種情報記憶部、１７・・・計時装置、２０・・・輸液ポンプディスプレイ、２１・・・表示種類判断処理部（プログラム）、２２・・・輸液ポンプディスプレイ水色表示処理部（プログラム）、２３・・・変更可能画面変更判断処理部（プログラム）、２４・・・輸液ポンプディスプレイ濃い水色表示処理部（プログラム）、２５・・・変更可能部分表示及び変更可能部分確定判断処理部（プログラム）、２６・・・全変更可能部分確定判断処理部（プログラム）、２７・・・輸液ポンプディスプレイ薄い水色表示処理部（プログラム）
【図１】
2013154036.tif 000003
【図２】
2013154036.tif 000004
【図３】
2013154036.tif 000005
【図４】
2013154036.tif 000006
【図５】
2013154036.tif 000007
【図６】
2013154036.tif 000008
【図７】
2013154036.tif 000009
【図８】
2013154036.tif 000010